(57)【要約】【課題】柔軟性を有しかつ食品を充填した袋物容器に対して高い密封度で装着することが可能で、しかも袋物容器に対する装着性が良好なクリップ付キャップを提供する。【解決手段】食品を充填した袋状容器５０に挿入可能な挿入部１６及びキャップ着脱部１４を有する筒状体１３と、キャップ４５と、一対の挟持部２５、３５と、自身が変形することにより一対の挟持部を離間位置と挟持位置に移動させる一対の可変接続部１９、２１、２３と、挟持部を挟持位置に保持するロック手段２８、３８と、を備え、一対の挟持部が、挟持位置に位置したときに挿入部との間で袋状容器を挟み込む挿入部接近部２６、３６及び挟持位置に位置したときに他方の挟持部との間で袋状容器を挟み込む着脱時操作部２７、３７、を有し、挟持部が挟持位置に位置したときに袋状容器と一緒に挿入部の第一受容凹溝１７内に進入する第一嵌合凸部３０、４０を挿入部接近部に突設する。【選択図】図１４
2015078003.tif 000002
【特許請求の範囲】
【請求項１】
食品を充填可能かつ柔軟性を有する袋状容器に形成した容器開口を通して上記袋状容器に挿入可能な挿入部、及び、該挿入部を上記袋状容器に挿入したときに上記容器開口の外側に位置するキャップ着脱部、を有し、かつ両端が開口する筒状体と、
該筒状体の上記キャップ着脱部に対して着脱可能で、装着することにより上記筒状体の袋状容器内部と反対側の開口を塞ぐキャップと、
上記筒状体の軸線方向に見たときに該筒状体を挟んで互いに反対側に位置する一対の挟持部と、
該一対の挟持部と上記筒状体とを接続し、自身が変形することにより上記一対の挟持部を、共に上記挿入部から離間する離間位置と共に上記挿入部に対して接近する挟持位置とに移動させる一対の可変接続部と、
上記一対の挟持部に形成した、両者が上記挟持位置に位置したときに互いに係合して、上記一対の挟持部を上記挟持位置に保持するロック手段と、
を備え、
上記一対の挟持部が、上記挟持位置に位置したときに上記挿入部の外周面との間で上記袋状容器の一部を挟み込みかつ該外周面と対応する形状をなす挿入部接近部、及び、該挿入部接近部の両側に位置し、上記挟持位置に位置したときに他方の上記挟持部との間で上記袋状容器を挟み込む着脱時操作部、を有し、
上記挿入部が、その外周面に上記筒状体の周方向に沿って延びる第一受容凹溝を有し、
上記一対の挿入部接近部に、該挟持部が上記挟持位置に位置したときに上記袋状容器の一部と一緒に上記第一受容凹溝内に進入する第一嵌合凸部を突設したことを特徴とするクリップ付キャップ。
【請求項２】
請求項１記載のクリップ付キャップにおいて、
一方の上記挟持部の上記着脱時操作部に形成した第二受容凹溝と、
他方の上記挟持部の上記着脱時操作部に形成した、上記挟持部が上記挟持位置に位置したときに、上記袋状容器の一部と一緒に上記第二受容凹溝に進入する第二嵌合凸部と、
を備えるクリップ付キャップ。
【請求項３】
請求項２記載のクリップ付キャップにおいて、
上記他方の上記挟持部の上記第二嵌合凸部が、上記他方の上記挟持部の上記第一嵌合凸部と連続するクリップ付キャップ。
【発明の詳細な説明】
【技術分野】
【０００１】
本発明は、内部に食品を充填可能かつ柔軟性を有する袋状容器に形成した開口を利用して、袋状容器に対して着脱するクリップ付キャップに関する。
【背景技術】
【０００２】
特許文献１は食品を充填した袋に対して着脱可能な袋物クリップを開示している。
この袋物クリップは、下端が開口する筒状体（本体）と、筒状体の上面に形成した開口をスライド自在に開閉するスライド蓋（蓋）と、筒状体の軸線方向に見たときに筒状体を挟んで互いに反対側に位置する一対の挟持部（挟持板）と、一対の挟持部と筒状体とを接続し、自身が変形することにより一対の挟持部を、共に筒状体から離間する離間位置と共に筒状体に対して接近する挟持位置とに移動させる一対の可変接続部（薄肉部）と、一対の挟持部に形成した、両者が挟持位置に位置したときに互いに係合して、一対の挟持部を挟持位置に保持するロック手段（ロック片）と、を具備している。
【０００３】
袋物クリップを袋に装着するには、まず袋の一端をハサミ等で切断することにより、当該一端に切断開口を形成する。
次いで、一対の挟持部を離間位置に位置させながら、袋物クリップの筒状体を切断開口を通して袋内に挿入する。
そして、この状態で一対の挟持部を挟持位置へ移動させることにより、一対の挟持部と筒状体の外周面の間で袋（の切断開口側の端部）を挟み込み、さらにロック手段を利用して一対の挟持部を挟持位置に保持する。
このようにして袋物クリップを袋に装着すれば、袋物クリップのスライド蓋を開方向にスライドさせることにより、袋物クリップの開口を通じて袋内の食品を取り出すことが可能になる。その一方で、スライド蓋によって袋物クリップの開口を塞げば、袋内の食品が袋物クリップの開口を通じて不意に外部に飛び出すのを防止できる。
【先行技術文献】
【特許文献】
【０００４】
【特許文献１】特開平１１−４９１２３号公報
【発明の概要】
【発明が解決しようとする課題】
【０００５】
しかし特許文献１の袋物クリップによる袋の密封度は高くないので、袋内の食品が劣化し易い。
【０００６】
さらに袋物クリップの一対の挟持部は、筒状体の半部とそれぞれ対応する形状である。そのため、使用者が挟持部を手で把持しながら一対の挟持部を離間位置から挟持位置へ移動させると、手を挟持部と筒状体の間で挟まれるおそれがある。即ち、袋物クリップの袋への装着性が良くない。
【０００７】
本発明は、柔軟性を有しかつ食品を充填した袋物容器に対して高い密封度で装着することが可能で、しかも袋物容器に対する装着性が良好なクリップ付キャップを提供することを目的とする。
【課題を解決するための手段】
【０００８】
本発明のクリップ付キャップは、食品を充填可能かつ柔軟性を有する袋状容器に形成した容器開口を通して上記袋状容器に挿入可能な挿入部、及び、該挿入部を上記袋状容器に挿入したときに上記容器開口の外側に位置するキャップ着脱部、を有し、かつ両端が開口する筒状体と、該筒状体の上記キャップ着脱部に対して着脱可能で、装着することにより上記筒状体の袋状容器内部と反対側の開口を塞ぐキャップと、上記筒状体の軸線方向に見たときに該筒状体を挟んで互いに反対側に位置する一対の挟持部と、該一対の挟持部と上記筒状体とを接続し、自身が変形することにより上記一対の挟持部を、共に上記挿入部から離間する離間位置と共に上記挿入部に対して接近する挟持位置とに移動させる一対の可変接続部と、上記一対の挟持部に形成した、両者が上記挟持位置に位置したときに互いに係合して、上記一対の挟持部を上記挟持位置に保持するロック手段と、を備え、上記一対の挟持部が、上記挟持位置に位置したときに上記挿入部の外周面との間で上記袋状容器の一部を挟み込みかつ該外周面と対応する形状をなす挿入部接近部、及び、該挿入部接近部の両側に位置し、上記挟持位置に位置したときに他方の上記挟持部との間で上記袋状容器を挟み込む着脱時操作部、を有し、上記挿入部が、その外周面に上記筒状体の周方向に沿って延びる第一受容凹溝を有し、上記一対の挿入部接近部に、該挟持部が上記挟持位置に位置したときに上記袋状容器の一部と一緒に上記第一受容凹溝内に進入する第一嵌合凸部を突設したことを特徴としている。
【０００９】
一方の上記挟持部の上記着脱時操作部に形成した第二受容凹溝と、他方の上記挟持部の上記着脱時操作部に形成した、上記挟持部が上記挟持位置に位置したときに、上記袋状容器の一部と一緒に上記第二受容凹溝に進入する第二嵌合凸部と、を備えてもよい。
【００１０】
上記他方の上記挟持部の上記第二嵌合凸部が、上記他方の上記挟持部の上記第一嵌合凸部と連続してもよい。
【発明の効果】
【００１１】
本発明によれば、食品を充填可能かつ柔軟性を有する袋状容器に形成した容器開口を通して挿入部を袋状容器に挿入し、この状態で離間位置に位置していた一対の挟持部を挟持位置に移動させると、各挟持部の着脱時操作部が袋状容器（の一部）を挟み込み、かつ、挿入部接近部に突設した第一嵌合凸部が袋状容器（の一部）と一緒に筒状体の第一受容凹溝内に進入する。
このように筒状体と一対の挟持部（挿入部接近部）が、筒状体に形成した第一受容凹溝と挟持部（挿入部接近部）に形成した第一嵌合凸部とを利用して袋状容器（の一部）を挟み込むので、袋物容器に対してクリップ付キャップを高い密封度で装着することが可能である。
【００１２】
さらに一対の挟持部が、挟持位置に位置したときに筒状体の側方に位置する一対の着脱時操作部を具備している。
そのためクリップ付キャップの使用者は、各挟持部の一対の着脱時操作部を手で掴みながら各挟持部を離間位置から挟持位置に移動させることが可能なので、手を挟持部と筒状体の間で挟まれるおそれがない。
従って、クリップ付キャップの袋物容器に対する装着性が良好である。
【００１３】
請求項２の発明によれば、一対の挟持部が挟持位置に移動したときに、一方の挟持部の着脱時操作部に形成した第二受容凹溝に対して、他方の挟持部の着脱時操作部に形成した第二嵌合凸部が袋状容器の一部と一緒に進入する。
そのため袋物容器とクリップ付キャップの密封度がより向上する。
【００１４】
また、一方の挟持部に凹溝を形成し、他方の挟持部に当該凹溝に対して（袋状容器と一緒に）進入する凸部を形成し、さらに筒状体と挟持部に互いに嵌合する凹溝と凸部をそれぞれ形成する場合は、例えば、一方の挟持部（全体）に凹溝を形成し、他方の挟持部（全体）に凸部を形成し、筒状体の上記一方の挟持部との対向面に凸部を形成し上記他方の挟持部との対向面に凹溝を形成することが考えられる。しかし、このように一方の挟持部（全体）に凹溝を形成し他方の挟持部（全体）に凸部を形成すると挟持部を離間位置と挟持位置との間で移動させるときの両挟持部（可変接続部）の動きが非対称になる（ならざるを得ない）ので、挟持部の移動操作（クリップ付キャップの袋物容器に対する着脱作業）が難しくなる。
しかし請求項２の発明のように構成すれば、挟持部を離間位置と挟持位置との間で移動させるときの両挟持部（可変接続部）の動きを対称にすることが可能になるので、挟持部の移動操作（クリップ付キャップの袋物容器に対する着脱作業）が容易になる。
【００１５】
請求項３の発明によれば、他方の挟持部の構造が簡単になり、かつ他方の挟持部の強度が高くなる。
【図面の簡単な説明】
【００１６】
【図１】本発明の一実施形態のクリップ付キャップの上方から見た斜視図である。
【図２】クリップ付キャップの下方から見た斜視図である。
【図３】キャップと本体部を分離したクリップ付キャップの側面図である。
【図４】第一挟持部及び第二挟持部が離間位置に位置するときの本体部の底面図である。
【図５】離間位置に位置する第一挟持部の底面図である。
【図６】離間位置に位置する第二挟持部の底面図である。
【図７】第一挟持部及び第二挟持部が挟持位置に位置するときのクリップ付キャップの底面図である。
【図８】インスタントコーヒーを充填したアルミ袋の斜視図である。
【図９】ハサミによって上端近傍に切断開口を形成したアルミ袋と第一挟持部及び第二挟持部が離間位置に位置するクリップ付キャップの分離状態の斜視図である。
【図１０】図９に示す状態のクリップ付キャップの斜め下方から見た斜視図である。
【図１１】切断開口を通じてアルミ袋の上部にクリップ付キャップの筒状体（挿入部）を挿入し、第一挟持部及び第二挟持部を挟持位置側へ僅かに移動させたときの側面図である。
【図１２】図１１に示す状態のクリップ付キャップをアルミ袋を省略して示す斜め下方から見た斜視図である。
【図１３】図１１及び図１２の状態から第一挟持部及び第二挟持部を挟持位置側へさらに移動させたときのクリップ付キャップをアルミ袋を省略して示す斜め下方から見た斜視図である。
【図１４】第一挟持部及び第二挟持部を挟持位置まで移動させたときのアルミ袋とクリップ付キャップの斜視図である。
【図１５】図１４に示す状態のクリップ付キャップをアルミ袋を省略して示す斜め下方から見た斜視図である。
【発明を実施するための形態】
【００１７】
以下、添付図面に基づいて本発明の一実施形態について説明する。
本実施形態のクリップ付キャップ１０は、食品を充填した柔軟な材質の容器（例えば図８、図９、図１１、図１４に示したアルミ袋５０）に対して着脱可能なものである。
クリップ付キャップ１０は、互いに分離可能な本体部１２とキャップ４５を具備している。
本体部１２は樹脂材料からなる一体成形品であり、筒状体１３、支持突片１９、薄肉変形部２１、連結片２３、第一挟持部２５、及び第二挟持部３５を一体的に具備している。
上下両端が開口する筒状体１３は、断面略円形のキャップ着脱部１４と、キャップ着脱部１４の下方に位置しかつ断面非円形の挿入部１６と、を有している。キャップ着脱部１４の外周面には雄ネジ溝１５が形成してある。挿入部１６は、断面円形をなす部位と、断面円形部の周方向に１８０°離れた二カ所に一体的に設けた一対の断面略三角形の部位とからなるものである。一対の断面略三角形をなす部位の前面と断面円形部の前面は滑らかに連続しており、一対の断面略三角形をなす部位の後面と断面円形部の後面も滑らかに連続している。挿入部１６の下端近傍には、挿入部１６の周方向に延びる環状の第一受容凹溝１７が凹設してある。
挿入部１６の一対の断面略三角形をなす部位の上端には左右方向に延びる支持突片１９がそれぞれ突設してある。左右の支持突片１９の前後両端には、支持突片１９（及び筒状体１３）よりも薄肉の薄肉変形部２１が連続して設けてある。さらに各薄肉変形部２１には、支持突片１９と同じ厚みの連結片２３の一端がそれぞれ接続している。各薄肉変形部２１は支持突片１９及び連結片２３より薄肉であるため容易に変形可能である。この支持突片１９、薄肉変形部２１、及び連結片２３が可変接続部１８の構成要素である。
そして前方に位置する左右の連結片２３の薄肉変形部２１と反対側の端部には左右方向に延びる第一挟持部２５（挟持部）が接続しており、後方に位置する左右の連結片２３の薄肉変形部２１と反対側の端部には左右方向に延びる第二挟持部３５（挟持部）が接続している。図示するように筒状体１３の軸線方向に見たときに第一挟持部２５と第二挟持部３５は筒状体１３を挟んで互いに反対側に位置する。前後の薄肉変形部２１及び連結片２３を支持突片１９と同一平面上に位置させたとき、第一挟持部２５及び第二挟持部３５は図４、図９、図１０に示した挿入部１６（筒状体１３）から大きく離間する離間位置に位置する。一方、各薄肉変形部２１を変形させることにより各連結片２３を上下方向に向けたとき、第一挟持部２５及び第二挟持部３５は図１、図２、図７、図１４、図１５に示した挿入部１６（筒状体１３）に対して接近する挟持位置に位置する。
【００１８】
第一挟持部２５は、その長手方向の中央部を構成する挿入部接近部２６と、挿入部接近部２６の左右両側に位置する一対の着脱時操作部２７と、を有している。図示するように挿入部接近部２６は挿入部１６の外周面（前面）と略対応する形状をなしている。特に第一挟持部２５が挟持位置に位置するときに挿入部１６の外周面（前面）と対向する挿入部接近部２６の挿入部対向面２６ａは、挿入部１６の前面（外周面）と対応する形状（極めて近い形状）をなしている。一方、左右の着脱時操作部２７は共に左右方向に延びている。左右の着脱時操作部２７にはロック爪２８（ロック手段）がそれぞれ突設してある。左右の着脱時操作部２７の端部対向面２７ａは挿入部対向面２６ａと連続している（図５等を参照）。
第一挟持部２５の挿入部対向面２６ａ及び端部対向面２７ａに跨る部分には第一挟持部２５の長手方向に延びる対向面凹部２９が形成してある（図４参照）。対向面凹部２９の底面（第一挟持部２５が離間位置に位置するときは上面）には第一嵌合凸部３０が突設してある。この第一嵌合凸部３０は挿入部接近部２６と対応する部位に設けたものであり、その形状は挿入部接近部２６と（数学的に）相似形である。図５等に示すように第一嵌合凸部３０の突出側端部（対向面凹部２９の底面と反対側の端部）は挿入部対向面２６ａの外側に突出している。一方、対向面凹部２９の底面の左右の着脱時操作部２７と対応する部位には、左右方向に延びる前後一対の端部突片３１がそれぞれ突設してある。図５等に示すように端部突片３１の突出側端部（対向面凹部２９の底面と反対側の端部）は端部対向面２７ａの内側で終端している。そして対をなす前後の端部突片３１の間には左右方向に延びる第二受容凹溝３２が形成してある。
【００１９】
第二挟持部３５は（離間位置や挟持位置に位置するときに）挿入部接近部２６と前後対称をなす挿入部接近部３６（挿入部接近部３６は挿入部１６の外周面（後面）と略対応する形状をなしている）と、着脱時操作部２７と前後対称をなす一対の着脱時操作部３７と、を有している。さらに挿入部接近部３６と着脱時操作部３７は（離間位置や挟持位置に位置するときに）挿入部対向面２６ａ及び端部対向面２７ａとそれぞれ前後対称をなす挿入部対向面３６ａと端部対向面３７ａを備えている。左右の着脱時操作部３７にはロック片３８（ロック手段）がそれぞれ突設してあり、各ロック片３８にはロック孔３８ａが穿設してある。
第二挟持部３５の挿入部対向面３６ａ及び端部対向面３７ａに跨る部分には第二挟持部３５の長手方向に延びる対向面凹部３９が形成してある（図４参照）。対向面凹部３９の底面（第二挟持部３５が離間位置に位置するときは上面）には、（離間位置や挟持位置に位置するときに）第一嵌合凸部３０と前後対称をなす第一嵌合凸部４０が突設してある。一方、対向面凹部３９の底面の左右の着脱時操作部３７と対応する部位には、左右方向に延びる前後一対の第二嵌合凸部４１がそれぞれ突設してある。図５等に示すように第二嵌合凸部４１の突出側端部（対向面凹部３９の底面と反対側の端部）は端部対向面３７ａの外側に突出している。さらに図６等に示すように第一嵌合凸部４０と左右の第二嵌合凸部４１は互いに連続している。
【００２０】
樹脂製の一体成形品であるキャップ４５は、上端が閉塞し下端が開放した円筒状部材であり、その内周面には雌ネジ溝４６が形成してある。
キャップ４５は、筒状体１３のキャップ着脱部１４に被せた上で雌ネジ溝４６を筒状体１３の雄ネジ溝１５に対して螺合することにより、筒状体１３（キャップ着脱部１４）に対して装着可能である。またキャップ４５を回転させて雌ネジ溝４６と雄ネジ溝１５の螺合を解除すれば、キャップ４５を筒状体１３（キャップ着脱部１４）から取り外すことが可能である。
【００２１】
以上構成のクリップ付キャップ１０は、以下の手順によってアルミ袋５０に対して装着可能である。
図８に示すアルミ袋５０は内部にインスタントコーヒーを充填したものであり、図８に示す状態では完全な密封状態にある。
まずアルミ袋５０の上端近傍をハサミ５２によって切断し、当該部位に切断開口５１（容器開口）を形成する。
次いで、第一挟持部２５及び第二挟持部３５を離間位置に位置させたクリップ付キャップ１０をアルミ袋５０に対して上方から接近させて（図９参照）、筒状体１３の挿入部１６を切断開口５１を介してアルミ袋５０の内部（上部）に挿入する。
次いで、離間位置に位置する第一挟持部２５の着脱時操作部２７及び第二挟持部３５の着脱時操作部３７を手で把持し、各薄肉変形部２１を変形させながら第一挟持部２５及び第二挟持部３５を挟持位置側へ移動（下方へ回転）させる（図１１、図１２参照）。
第一挟持部２５及び第二挟持部３５を図１１、図１２の状態から挟持位置側へさらに移動（下方へ回転）させると、第一嵌合凸部３０と第一嵌合凸部４０がアルミ袋５０（図１３では図示略）の上端部の外周面に接触しながら挿入部１６の外周面（第一受容凹溝１７）に接近する（図１３参照）。このとき、第一挟持部２５の着脱時操作部２７（端部対向面２７ａ）と第二挟持部３５の着脱時操作部３７（端部対向面３７ａ、第二嵌合凸部４１）は、互いに前後方向に離間したままである（図１３参照）。
そして図１４、図１５に示すように第一挟持部２５及び第二挟持部３５を挟持位置まで移動（下方へ回転）させると、第一挟持部２５の挿入部対向面２６ａ及び第二挟持部３５が挿入部対向面３６ａがアルミ袋５０（図１５では図示略）の上端部を挿入部１６の外周面との間で挟み込みながら、第一嵌合凸部３０及び第一嵌合凸部４０がアルミ袋５０の上端部と一緒に挿入部１６の第一受容凹溝１７に進入する。さらに第一挟持部２５の端部対向面２７ａと第二挟持部３５の端部対向面３７ａがアルミ袋５０の上端部を挟み込み、かつ、第二挟持部３５の左右の第二嵌合凸部４１がアルミ袋５０の上端部と一緒に第一挟持部２５の左右の第二受容凹溝３２に進入する。
さらに第一挟持部２５及び第二挟持部３５が挟持位置まで移動すると、第二挟持部３５の左右のロック片３８のロック孔３８ａに対して第一挟持部２５の左右のロック爪２８が嵌合するので、左右のロック孔３８ａと左右のロック爪２８によって第一挟持部２５及び第二挟持部３５が挟持位置に保持される。
【００２２】
このようにクリップ付キャップ１０はアルミ袋５０に対して高い密封度で装着されるので、（キャップ４５を本体部１２に対してしっかりと装着すれば）アルミ袋５０内部のインスタントコーヒーが劣化する（例えば、湿気たり風味が落ちる）のを抑制できる。
さらに第一挟持部２５及び第二挟持部３５が、挟持位置に位置するときに筒状体１３の側方に位置する一対の着脱時操作部２７、３７を具備している。そのためクリップ付キャップ１０の使用者は、第一挟持部２５及び第二挟持部３５の一対の着脱時操作部２７、３７を手で掴みながら第一挟持部２５及び第二挟持部３５を離間位置から挟持位置側へ移動させることが可能であり、使用者はクリップ付キャップ１０をアルミ袋５０に装着する際に手を第一挟持部２５及び第二挟持部３５と筒状体１３との間で挟まれるおそれがない。従ってクリップ付キャップ１０のアルミ袋５０に対する装着性が良好である。
またクリップ付キャップ１０をアルミ袋５０に装着した後にキャップ４５を本体部１２から取り外せば、筒状体１３の上端開口を通してアルミ袋５０内部のインスタントコーヒーを取り出すことが可能である。
【００２３】
また、一方の挟持部（第一挟持部２５または第二挟持部３５）に凹溝（第二受容凹溝３２に相当する凹溝）を形成し、他方の挟持部（第二挟持部３５または第一挟持部２５）に当該凹溝に対して（アルミ袋５０と一緒に）進入する凸部（第二嵌合凸部４１に相当する凸部）を形成し、さらに筒状体１３と挟持部（第一挟持部２５及び第二挟持部３５）に互いに嵌合する凹溝（第一受容凹溝１７に相当する溝）と凸部（第一嵌合凸部３０と第一嵌合凸部４０に相当する凸部）をそれぞれ形成する場合は、例えば、一方の挟持部（全体）に凹溝を形成し、他方の挟持部（全体）に凸部を形成し、筒状体１３の上記一方の挟持部との対向面に凸部（第一嵌合凸部３０または第一嵌合凸部４０に相当する凸部）を形成し上記他方の挟持部との対向面に凹溝（第一受容凹溝１７に相当する溝）を形成することが考えられる。しかし、このように一方の挟持部（第一挟持部２５または第二挟持部３５）（の全体）に凹溝を形成し他方の挟持部（第二挟持部３５または第一挟持部２５）（の全体）に凸部を形成すると、一対の挟持部を離間位置と挟持位置との間で移動させるときの両挟持部（第一挟持部２５及び第二挟持部３５）並びに可変接続部１８の動きが前後非対称になる（ならざるを得ない）ので、挟持部（第一挟持部２５及び第二挟持部３５）の移動操作（クリップ付キャップ１０のアルミ袋５０に対する着脱作業）が難しくなる。
しかし本実施形態のクリップ付キャップ１０のように、挿入部１６の前後両面に第一受容凹溝１７を凹設した上で第一挟持部２５と第二挟持部３５に第一嵌合凸部３０と第一嵌合凸部４０を突設すれば、第一挟持部２５及び第二挟持部３５を離間位置と挟持位置との間で移動させるときの第一挟持部２５及び第二挟持部３５（並びに可変接続部１８）の動きを前後対称にすることが可能になるので、第一挟持部２５及び第二挟持部３５の移動操作（クリップ付キャップ１０のアルミ袋５０に対する着脱作業）が容易になる。
【００２４】
さらに第二挟持部３５の第一嵌合凸部４０と第二嵌合凸部４１を連続した一つの凸部として成形しているので、第一嵌合凸部４０と第二嵌合凸部４１を分離する場合と比べて第一嵌合凸部４０及び第二嵌合凸部４１の構造が簡単になり、かつ第二挟持部３５の強度が向上する。
なお手で第一挟持部２５の着脱時操作部２７と第二挟持部３５の着脱時操作部３７を掴みながらロック爪２８とロック孔３８ａの嵌合状態を解除し、第一挟持部２５と第二挟持部３５を離間位置側に移動（上方へ回転）させれば、クリップ付キャップ１０をアルミ袋５０から簡単に取り外すことが可能である。
【００２５】
以上本発明を上記実施形態に基づいて説明したが、本発明は上記実施形態に限定されるものではなく様々な変形を施しながら実施可能である。
例えば、クリップ付キャップ１０の装着対象はアルミ袋５０には限定されず、柔軟性（可撓性）を有しかつハサミ等で切断可能な袋状容器であれば他のもの（例えば、柔軟パウチ容器やビニール製袋体など）でもよい。また袋状容器に充填する食品はインスタントコーヒー以外のものであってもよい。
さらに袋状容器とクリップ付キャップ１０の間に要求される密封度がそれほど高くない場合（例えば充填する食品が劣化し難い場合など）は、第一挟持部２５と第二挟持部３５から端部突片３１（第二受容凹溝３２）と第二嵌合凸部４１を省略してもよい。
また第二挟持部３５の第一嵌合凸部４０と第二嵌合凸部４１を互いに分離してもよい。
また第一挟持部２５側にロック片３８を設けて、第二挟持部３５側にロック爪２８を設けてもよい。さらにロック手段としてロック爪２８とロック片３８以外の手段を採用してもよい。
【符号の説明】
【００２６】
１０    クリップ付キャップ
１２    本体部
１３    筒状体
１４    キャップ着脱部
１５    雄ネジ溝
１６    挿入部
１７    第一受容凹溝
１８    可変接続部
１９    支持突片（可変接続部）
２１    薄肉変形部（可変接続部）
２３    連結片（可変接続部）
２５    第一挟持部（挟持部）
２６    挿入部接近部
２６ａ  挿入部対向面
２７    着脱時操作部
２７ａ  端部対向面
２８    ロック爪（ロック手段）
２９    対向面凹部
３０    第一嵌合凸部
３１    端部突片
３２    第二受容凹溝
３５    第二挟持部（挟持部）
３６    挿入部接近部
３６ａ  挿入部対向面
３７    着脱時操作部
３７ａ  端部対向面
３８    ロック片（ロック手段）
３８ａ  ロック孔
３９    対向面凹部
４０    第一嵌合凸部
４１    第二嵌合凸部
４５    キャップ
４６    雌ネジ溝
５０    アルミ袋
５１    切断開口（容器開口）
５２    ハサミ
【図１】
2015078003.tif 000003
【図２】
2015078003.tif 000004
【図３】
2015078003.tif 000005
【図４】
2015078003.tif 000006
【図５】
2015078003.tif 000007
【図６】
2015078003.tif 000008
【図７】
2015078003.tif 000009
【図８】
2015078003.tif 000010
【図９】
2015078003.tif 000011
【図１０】
2015078003.tif 000012
【図１１】
2015078003.tif 000013
【図１２】
2015078003.tif 000014
【図１３】
2015078003.tif 000015
【図１４】
2015078003.tif 000016
【図１５】
2015078003.tif 000017